(57)【要約】【課題】アドレス自動設定を可能としつつも照明制御信号の遅延を低減する照明制御機器及びそれを用いた照明制御システムを提供する。【解決手段】本発明の照明制御システム１における照明制御機器３は、通信ライン５から受信される通信データ信号に含まれる通信データを出力するレシーバ出力端子、通信データが入力されて通信データ信号を通信ラインに出力するドライバ出力端子、及びドライバ出力端子の出力を有効化／無効化する送信有効／無効化手段を有するトランシーバ１０と、レシーバ出力端子から出力される通信データを受信する受信部、受信された通信データに基づいてアドレスを設定するアドレス設定手段、及びアドレス設定前に送信有効／無効化手段に送信無効化信号を出力してドライバ出力端子の出力を無効化し、アドレス設定後に送信有効／無効化手段に送信有効化信号を出力してドライバ出力端子の出力を有効化する送信状態切換部を有する中央処理ユニット２０を備える。  【選択図】  図４
2014137949.tif 000002
【特許請求の範囲】
【請求項１】
通信ラインによってデイジーチェーン接続されるとともに前記通信ラインからの通信データ信号に応じて対応する照明器具の動作を制御する照明制御機器であって、
前記通信ラインから受信される通信データ信号に含まれる通信データを出力するレシーバ出力端子、前記通信データが入力されて前記通信データ信号を前記通信ラインに出力するドライバ出力端子、及び該ドライバ出力端子の出力を有効化／無効化する送信有効／無効化手段を有するトランシーバと、
前記レシーバ出力端子から出力される前記通信データを受信する受信部、該受信部で受信された前記通信データに基づいてアドレスを設定するアドレス設定手段、及び該アドレス設定手段によるアドレス設定前に前記送信有効／無効化手段に送信無効化信号を出力して前記ドライバ出力端子の出力を無効化し、前記アドレス設定後に前記送信有効／無効化手段に送信有効化信号を出力して前記ドライバ出力端子の出力を有効化する送信状態切換部を有する中央処理ユニットと
を備えた照明制御機器。
【請求項２】
請求項１に記載の照明制御機器において、前記通信データがアドレス設定データでありかつアドレスが未設定である場合には前記アドレス設定手段が該アドレス設定データに基づいてアドレス設定を行い、前記通信データがアドレス設定データでありかつアドレスが設定済みである場合には前記アドレス設定手段が該アドレス設定データに対する処理を行わないように構成された照明制御機器。
【請求項３】
請求項１又は２に記載の照明制御機器において、
前記トランシーバがレシーバ及びドライバを備え、
前記レシーバが、前記通信ラインに接続されるレシーバ入力端子、及び前記レシーバ出力端子を有し、前記ドライバが、前記レシーバ出力端子に接続されたドライバ入力端子、前記ドライバ出力端子、及び前記送信有効／無効化手段として前記ドライバの動作を有効化／無効化する送信イネーブル制御端子を有することを特徴とする照明制御機器。
【請求項４】
請求項１から３のいずれか一項に記載の照明制御機器であって、
前記レシーバ入力端子と前記ドライバ出力端子の間に開閉可能に接続され、制御信号が入力されない場合に閉状態となり、前記制御信号が入力される場合に開状態となるリレーと、
前記照明制御機器への電源が供給される場合に前記制御信号を前記リレーに入力する電源ユニットと
を更に備えた照明制御機器。
【請求項５】
請求項１から４のいずれか一項に記載の照明制御機器において、
前記通信データが新たなアドレス設定を命令するモード移行データである場合に、前記アドレス設定手段が設定済みアドレスを消去した後に、前記送信状態切換部が前記送信無効化信号を出力するように構成された照明制御機器。
【請求項６】
請求項１から５のいずれか一項に記載の照明制御機器において、前記通信データ信号がＤＭＸ５１２プロトコルに準拠したものである、照明制御機器。
【請求項７】
通信ラインによってデイジーチェーン接続されたｎ台（２≦ｎ）の請求項１から６のいずれか一項に記載の照明制御機器と、
前記通信ラインに前記通信データ信号を送出するコントローラと
を備え、前記コントローラが、該コントローラから見てｋ番目（１≦ｋ≦ｎ−１）の照明制御機器のアドレス設定データを含むアドレス設定信号を前記通信ラインに送出した後に、ｋ＋１番目の照明制御機器のアドレス設定データを含むアドレス設定信号を前記通信ラインに送出するように構成された照明制御システム。
【請求項８】
請求項７の照明制御システムにおいて、前記通信データ信号がＤＭＸ５１２プロトコルに準拠したものである、照明制御システム。
【発明の詳細な説明】
【技術分野】
【０００１】
本発明は照明制御機器及びそれを用いた照明制御システムに関する。
【背景技術】
【０００２】
従来から、ステージ、アミューズメントパーク、劇場等で多数の照明を制御するための通信プロトコルとしてＤＭＸ５１２が知られている。ＤＭＸ５１２プロトコルを用いる照明システムでは、多数の照明制御機器（子機）が２線式でデイジーチェーン（数珠繋ぎ）接続され、コントローラ（親機）からの制御信号が各照明制御機器に半二重通信で逐次搬送される。各照明制御機器は自己のアドレスに一致するスロットのデータを参照して、自身に接続された照明の点灯状態を制御する。
【０００３】
特許文献１は、上記のような照明システムにおいて、各照明制御機器のアドレスが自動設定される構成を開示する。同文献の照明システムにおいては、操作手段（親機）からアドレス設定用信号がアドレス設定用ラインを介して各制御機器（子機）に送信される。各制御機器は、アドレス設定用ラインから取り込まれたアドレス設定用信号に基づいて自制御機器が使用するアドレスを設定するとともに、取り込まれたアドレス設定用信号に対して加工を行い、加工後のアドレス設定用信号を次の制御機器に送信する。その後、各制御機器は、アドレス設定用ラインから受信されるアドレス及び照明制御信号に基づいて各照明負荷を制御する。この際、各制御機器はアドレス及び照明制御信号を処理回路に取り込み、アドレス検出、ＤＭＸ信号の取出し、ＤＭＸ信号のバッファへの保持等の処理を行った後に後段の制御機器に信号を送出する（例えば、同文献図６及び図７参照）。
【先行技術文献】
【特許文献】
【０００４】
【特許文献１】特開２０１０−１０３０２３号公報
【発明の概要】
【発明が解決しようとする課題】
【０００５】
ところで、舞台照明や演出照明においては照明状態を数１００ｍｓ単位で制御する要求があるため、ＤＭＸ５１２プロトコルにおいては、コントローラから全ての照明制御機器に１回の通信で制御できるように構成されている。しかし、特許文献１の構成によると、照明制御信号が各制御機器の処理回路に取り込まれ、種々の処理を行った後に後段の制御機器に送出されるため、照明制御信号は各制御機器を通過する毎に遅延される。この遅延の蓄積により、操作手段に近い（例えば先頭の）制御機器と操作手段から遠い（例えば最後尾の）制御機器との間の遅延が拡大する。従って、特に、制御機器の接続数が多い場合に、１回の通信において先頭の制御機器と最後尾の制御機器との間で同期が取り難くなり、照明制御上好ましくない。
【０００６】
またさらに、同文献の構成によると、各制御機器に入力される信号がその内部回路を介して後続の制御機器に伝搬されるため、電源がＯＦＦの制御機器がデイジーチェーン中に接続されている場合には、その制御機器よりも後段の制御機器のアドレス設定及び照明制御を行うことができなくなるという問題がある。
【０００７】
そこで、本発明は、各照明制御機器へのアドレス自動設定を可能としつつも照明制御用の信号の遅延を低減することを可能とする照明制御機器及びそれを用いた照明制御システムを提供することを課題とする。また、このような照明制御機器及び照明制御システムにおいて、デイジーチェーン接続中に電源がＯＦＦの照明制御機器があっても、電源がＯＮの他の照明制御機器ではコントローラからの信号を確実に受信できるようにすることを課題とする。
【課題を解決するための手段】
【０００８】
本発明の照明制御機器は、通信ラインによってデイジーチェーン接続されるとともに通信ラインからの通信データ信号に応じて対応する照明器具の動作を制御するものであり、通信ラインから受信される通信データ信号に含まれる通信データを出力するレシーバ出力端子、通信データが入力されて通信データ信号を通信ラインに出力するドライバ出力端子、及びドライバ出力端子の出力を有効化／無効化する送信有効／無効化手段を有するトランシーバと、レシーバ出力端子から出力される通信データを受信する受信部、受信部で受信された通信データに基づいてアドレスを設定するアドレス設定手段、及びアドレス設定手段によるアドレス設定前に送信有効／無効化手段に送信無効化信号を出力してドライバ出力端子の出力を無効化し、アドレス設定後に送信有効／無効化手段に送信有効化信号を出力してドライバ出力端子の出力を有効化する送信状態切換部を有する中央処理ユニットを備える。
【０００９】
さらに、通信データがアドレス設定データでありかつアドレス未設定の場合にはアドレス設定手段がアドレス設定データに基づいてアドレス設定を行い、通信データがアドレス設定データでありかつアドレス設定済みである場合にはアドレス設定手段がアドレス設定データに対する処理を行わないように構成される。
【００１０】
ここで、トランシーバはレシーバ及びドライバを備え、レシーバが、通信ラインに接続されるレシーバ入力端子、及びレシーバ出力端子を有し、ドライバが、レシーバ出力端子に接続されたドライバ入力端子、ドライバ出力端子、及び送信有効／無効化手段としてドライバの動作を有効化／無効化する送信イネーブル制御端子を有する構成とすることが好ましい。
【００１１】
また、レシーバ入力端子とドライバ出力端子の間に開閉可能に接続され、制御信号が入力されない場合に閉状態となり、制御信号が入力される場合に開状態となるリレーと、照明制御機器への電源が供給される場合に制御信号をリレーに入力する電源ユニットを更に備える構成としてもよい。
【００１２】
またさらに、通信データが新たなアドレス設定を命令するモード移行データである場合に、アドレス設定手段が設定済みアドレスを消去した後に、送信状態切換部が送信無効化信号を出力するように構成されるようにすることが好ましい。
【００１３】
本発明の照明制御システムは、通信ラインによってデイジーチェーン接続されたｎ台（２≦ｎ）の上記いずれかの照明制御機器と、通信ラインに通信データ信号を送出するコントローラを備え、コントローラが、コントローラから見てｋ番目（１≦ｋ≦ｎ−１）の照明制御機器のアドレス設定データを含むアドレス設定信号を通信ラインに送出した後に、ｋ＋１番目の照明制御機器のアドレス設定データを含むアドレス設定信号を通信ラインに送出するように構成される。
【００１４】
なお、上記の照明制御機器又は照明制御システムにおいて、ＤＭＸ５１２プロトコルに準拠した通信データ信号を用いることが好ましい。
【図面の簡単な説明】
【００１５】
【図１】本発明の実施例による照明制御システムを示すブロック図である。
【図２】ＤＭＸ５１２規格による通信データ信号のデータ構成例を示す図である。
【図３】ＤＭＸ５１２規格による通信データ信号のデータ構成例を示す図である。
【図４】図１の照明制御システムを構成する照明制御機器を示すブロック図である。
【図５】本実施例で使用する通信データ信号のデータ構成例を示す図である。
【図６】図４の照明制御機器における処理を示すフローチャートである。
【図７】図１の照明制御システムの動作を説明する図である。
【図８】図１の照明制御システムの動作を説明する図である。
【図９】図１の照明制御システムの動作を説明する図である。
【図１０】図１の照明制御システムの動作を説明する図である。
【図１１】図１の照明制御システムの動作を説明する図である。
【図１２】本発明の照明制御機器の一変形例を説明する図である。
【発明を実施するための形態】
【００１６】
図１に本発明の実施例による照明制御システムのブロック図を示す。照明制御システム１は、コントローラ（以下、「親機」という）２、照明制御機器（以下、「子機」という）３−１、３−２、・・・３−ｎ、及び照明器具４−１、４−２、・・・４−ｎを備える。親機２を始点として子機３−１〜３−ｎは通信ライン５を介してデイジーチェーン（数珠繋ぎ）接続され、ＤＭＸ５１２プロトコルに準拠した通信が行われる。コントローラ２は専用のＤＭＸコントローラであってもよいし、ＤＭＸ５１２プロトコルを実現できるＲＳ４８５インターフェイスを有するパソコン等であってもよい。なお、以降の説明において、子機３−１〜３−ｎを総称して、又は任意の１つを指定して子機３といい、照明器具４−１〜４−ｎを総称して、又は任意の１つを指定して照明器具４というものとする。
【００１７】
ＤＭＸ５１２プロトコルでは、ＥＩＡによるＲＳ４８５規格がインターフェイスとなり、２線式半二重の通信（片方向通信）、非同期方式、及び２５０Ｋｂｉｔ／ｓの通信速度が採用される。図２に、ＤＭＸ５１２フレームのデータ部の一例を示す。ＤＭＸ５１２フレームはスロットＮｏ．０からスロットＮｏ．５１２までの５１３個のスロットを有する。スロットＮｏ．０には開始コードが格納され、スロットＮｏ．１〜Ｎｏ．５１２には、順にチャンネル１〜５１２のデータが格納される。格納されるデータの内容には、調光レベル、投影光の色、ゴボ（種板、即ち、投影される模様）、水平移動（パン）及び垂直移動（チルト）がある。
【００１８】
例えば、親機２に３台の子機３−１〜３−３が接続され、それぞれの調光レベルが制御される場合には、図２に示すように、スロットＮｏ．１、Ｎｏ．２及びＮｏ．３にそれぞれ子機３−１、３−２及び３−３の調光データが割り当てられ、他のスロットは未使用となる。また、各子機に複数のスロットを割り当てることもできる。例えば、図３に示すように、子機３−１〜３−３の赤色、緑色及び青色の光の調光レベルが制御される場合には、スロットＮｏ．１〜Ｎｏ．３、Ｎｏ．４〜Ｎｏ．６及びＮｏ．７〜Ｎｏ．９にそれぞれ子機３−１、３−２及び３−３の各色の調光データが割り当てられる。
【００１９】
各子機は自身のアドレスに対応するスロットに格納されたデータを参照して対応する照明器具を制御する。例えば、図３に示す例の場合、親機２から子機３−１に通信データ信号が伝搬されると、子機３−１はスロットＮｏ．１〜Ｎｏ．３のデータのみを参照し、他のスロットのデータには反応しない。同様に、子機３−２及び子機３−３はそれぞれスロットＮｏ．４〜Ｎｏ．６のデータ及びスロットＮｏ．７〜Ｎｏ．９のデータのみを参照する。なお、各子機はデータの受信に対して応答を返さない。
【００２０】
図４に子機３の構成のブロック図を示す。子機３はトランシーバ１０、中央処理ユニット（以下、「ＣＰＵ」という）２０、メモリ３０、電源ユニット４０、及びリレー５０を備える。
【００２１】
トランシーバ１０はレシーバ１１及びドライバ１２を備える。レシーバ１１はレシーバ入力端子１１ａ及び１１ｂ並びにレシーバ出力端子１１ｃを有する。レシーバ入力端子１１ａ及び１１ｂは通信ライン５に接続され、レシーバ出力端子１１ｃはＣＰＵ２０の受信部２１に接続される。ドライバ１２はドライバ入力端子１２ｃ、ドライバ出力端子１２ａ及び１２ｂ並びに送信有効／無効化手段としての送信イネーブル制御端子１２ｄを有する。ドライバ入力端子１２ｃはレシーバ出力端子１１ｃに接続され、ドライバ出力端子１２ａ及び１２ｂは通信ライン５に接続される。送信イネーブル制御端子１２ｄは、例えば、イネーブル端子であり、ＣＰＵ２０の送信状態切換部２７から制御入力を受ける。
【００２２】
レシーバ１１では、レシーバ入力端子１１ａ及び１１ｂにそれぞれ通信データ信号Ｒ＋及びＲ−が入力されてレシーバ出力端子１１ｃから通信データＲが出力される。なお、通信データ信号Ｒ＋と通信データＲとはデータの内容は実質的に同一である。ドライバ１２では、送信イネーブル制御端子１２ｄへの入力信号に従って動作が有効化／無効化される。ドライバ１２の動作が有効状態の場合には、ドライバ入力端子１２ｃに通信データＴ（即ち、通信データＲ）が入力されてドライバ出力端子１２ａ及び１２ｂからそれぞれ通信データ信号Ｔ＋及びＴ−が出力される。なお、通信データ信号Ｔ＋と通信データＴとはデータの内容は実質的に同一である。従って、ドライバ１２の出力が有効化されている場合には、通信データ信号Ｒ＋／Ｒ−と通信データ信号Ｔ＋／Ｔ−のデータの内容は同一である（なお、入力インピーダンスと出力インピーダンスが異なり得る）。
【００２３】
従って、ドライバ１２の動作が有効状態の場合には、ＣＰＵ２０の動作にかかわらず、通信ライン５からレシーバ１１で受信される通信データ信号がドライバ１２から通信ライン５にそのまま出力され、ＣＰＵ２０への入力とは別にＣＰＵ２０のバイパス経路が形成される。一方、ドライバ１２の動作が無効状態の場合には、通信ライン５からレシーバ１１を介して受信される通信データはＣＰＵ２０で終端され、ドライバ１２から通信ランプ５には何も出力されない。
【００２４】
ＣＰＵ２０は、受信部２１、処理決定部２２、アドレス検出部２３、アドレス処理部２４、制御データ抽出部２５、照明制御出力部２６、及び送信状態切換部２７を備え、これらはバス２８によって相互にデータのやりとりができるように接続されている。なお、ＣＰＵ２０はバス２８によってメモリ３０に接続される。
【００２５】
受信部２１はレシーバ１１のレシーバ出力端子１１ｃから出力される通信データ（通信データＲ）を受け入れる。親機２から通信ライン５を介して子機３に入力される通信データ信号には、新たなアドレス設定モードに移行するための命令であるモード移行信号、アドレス設定用の指令であるアドレス設定信号、及び照明制御用の照明制御信号（図２及び図３参照）がある。なお、受信部２１に入力されるデータについて、モード移行信号、アドレス設定信号及び照明制御信号に対応する（含まれる）データを、説明の便宜上、それぞれモード移行データ、アドレス設定データ及び照明制御データというものとするが、対応する信号とデータの内容は実質的に同じである。
【００２６】
アドレス設定信号のデータ構成例を図５に示す。通信データ信号がアドレス設定信号の場合には、例えば、スロットＮｏ．０にコマンドとして０ｘ０２が格納され、スロットＮｏ．１及びＮｏ．２にそれぞれアドレス上位ビット及び下位ビットが格納され、スロットＮｏ．３以降は未使用となる。なお、通信データ信号がモード移行信号の場合には、例えば、スロットＮｏ．０にコマンドとして０ｘ０１が格納され、他のスロットは未使用となる。また、通信データ信号が照明制御信号の場合には、スロットＮｏ．０にコマンドとして０ｘ００が格納されるようにすればよい。
【００２７】
処理決定部２２は、通信ライン５から子機３に入力される通信データ信号の種類、即ち、受信部２１から入力される通信データの種類を判別する。具体的には、処理決定部２２は、通信データが、モード移行データであるのか、アドレス設定データであるのか、照明制御データであるのかを判別する。処理決定部２２は、判別された通信データの種類に対応する処理を決定し、関連する要素に命令を出力する。通信データがモード移行データである場合には、処理決定部２２はアドレス処理部２４に、既に設定されているアドレスを消去させるとともにアドレス設定済みフラグをリセットさせ、送信状態切換部２７にドライバ１２の動作を無効化させる。通信データがアドレス設定データである場合には、処理決定部２２はアドレス検出部２３及びアドレス処理部２４にアドレス設定処理を行わせるとともにアドレス設定済みフラグをセットさせ、送信状態切換部２７にドライバ１２の動作を有効化させる。通信データが照明制御データである場合には、処理決定部２２はアドレス検出部２３、制御データ抽出部２５及び照明制御出力部２６に照明器具４の動作を実行させる。なお、各処理の詳細は後述する。
【００２８】
アドレス検出部２３は、通信データがアドレス設定データであり、かつ処理決定部２２から命令を受けた場合に、アドレス設定データからアドレスを検出する。即ち、アドレス検出部２３はデータフレームに記述されているアドレスデータ（図５では、スロットＮｏ．１及びＮｏ．２）を抽出する。
【００２９】
アドレス処理部２４は、通信データがモード移行データである場合に、処理決定部２２の命令により、メモリ３０に記憶されているアドレス設定（設定済みアドレス）を消去するとともにアドレス設定済みフラグをリセットする。また、アドレス処理部２４は、通信データがアドレス設定データである場合にはアドレス検出部２３によって抽出されたアドレスをメモリ３０に書き込むことによりアドレス設定を行うとともに、アドレス設定済みフラグをセットする。なお、アドレス設定済みフラグのリセット及びセットは処理決定部２２が行ってもよい。アドレス設定済みフラグが既にセットされている場合には、アドレス処理部２４はアドレス設定データに対する処理を何も行わない（無視する）。このように、アドレス検出部２３及びアドレス処理部２４並びに必要に応じて処理決定部２２がアドレス設定手段を構成する。
【００３０】
制御データ抽出部２５は、通信データが照明制御データである場合に、処理決定部２２の命令により、照明制御データの中から設定済みアドレスに対応する照明制御データを抽出し、その照明制御データを照明制御出力部２６に出力する。照明制御出力部２６は、制御データ抽出部２５によって抽出された照明データに従って照明器具４の照明動作を制御する。例えば、図３のデータ内容において、子機３が子機３−２である場合には、制御データ抽出部２５はスロットＮｏ．４〜Ｎｏ．６のデータを抽出し（他のスロットのデータを無視し）、照明制御出力２６はスロットＮｏ．４〜Ｎｏ．６のデータに従って照明器具４−２を動作させる。
【００３１】
送信状態切換部２７は、処理決定部２２からの命令に応じて送信有効化信号又は送信無効化信号をドライバ１２の送信イネーブル制御端子１２ｄに出力する。即ち、送信状態切換部２７から送信有効化信号が出力される場合には、ドライバ１２の出力動作が有効化されてＣＰＵ２０のバイパス経路が形成される。一方、送信状態切換部２７から送信無効化信号が出力される場合には、通信ライン５はＣＰＵ２０で終端される。上述したように、送信状態切換部２７は、通信データがモード移行データである場合には送信無効化信号を出力してドライバ１２の出力を無効化し、通信データがアドレス設定データである場合には、アドレス設定後に送信有効化信号を出力してドライバ１２の出力を有効化する。
【００３２】
なお、本実施例では、送信状態切換部２７が送信有効化信号及び送信無効化信号（ロー信号及びハイ信号又はその逆）を出力する構成を示すが、送信状態切換部２７が無出力（例えば、オープン）の状態でドライバ１２の動作が有効化され、送信無効化信号を出力した場合にドライバ１２の動作が無効化されるようにしてもよい。また逆に、送信状態切換部２７が無出力（例えば、オープン）の状態でドライバ１２の動作が無効化され、送信有効化信号を出力した場合にドライバ１２の動作が有効化されるようにしてもよい。
【００３３】
本実施例では、メモリ３０は不揮発性メモリであるが、揮発性メモリであってもよい。メモリ３０が不揮発性メモリの場合、一旦アドレス設定が行われた後は、子機３の電源のＯＮ／ＯＦＦにかかわらず、親機２で管理されているアドレスと複数の子機３のアドレスがずれてしまうことはない。一方、メモリ３０が揮発性メモリである場合には、子機３の電源が一旦ＯＦＦされた場合（照明制御システム１の使用を終了した場合）にアドレスが消去されるが、本発明による自動アドレス設定を用いれば、次回電源ＯＮ時にアドレスを再設定しても手間とはならない。
【００３４】
電源ユニット４０は制御電源生成部４１及びリレー制御部４２を備える。制御電源生成部４１は、商用電源等の電源供給を受けて、トランシーバ１０、ＣＰＵ２０及びメモリ３０の制御電源となる定電圧を生成し、その定電圧をトランシーバ１０、ＣＰＵ２０及びメモリ３０に不図示の配線を介して供給する。リレー制御部４２は電源供給を受けてリレー５０の制御信号を出力する。本実施例においては、交流電源による電源供給を示しているが、直流電源が供給される構成にも本発明の構成を適用できる。この場合、制御電源生成部４１及びリレー制御部４２において、整流平滑のための回路が省略される。またさらに、直流電源が低電圧源（例えば１２Ｖ）である場合は、降圧回路等が省略される。
【００３５】
リレー５０は双極単投型のスイッチであればよく、制御信号が無い状態では閉状態となり、閾値を超える制御信号があると開状態となる。リレー５０は、Ｂ接点スイッチ等であればよく、制御信号が無入力の状態では通信ライン５の同極性ライン同士を閉状態（接続状態）とし、制御信号が入力されるとそれらを開状態（遮断状態）とする。即ち、入力スイッチＳＷがオフされて子機３への電源供給が遮断された状態においては、リレー制御部４２からリレー５０への制御信号は入力されず、リレー５０は閉状態を維持する。一方、子機３への電源が供給された状態においては、リレー制御部４２からリレー５０に制御信号が入力され、リレー５０は開状態を維持する。
【００３６】
この構成により、デイジーチェーン接続された複数の子機のうちの一部の子機の電源がＯＦＦの状態であっても、その子機が閉状態のリレーによってバイパスされるので通信ライン５に流れる通信データ信号がその子機によって遮断されることはない。即ち、親機２からの通信データ信号は、電源がＯＮされている最後尾の子機３まで確実に伝送される。
【００３７】
図６に子機３のＣＰＵ２０の動作のフローチャートを示す。なお、子機３の電源は既にＯＮ（即ち、リレー５０は開状態）であるものとする。
【００３８】
ステップＳ１０において、受信部２１が通信データを受信する。
ステップＳ１５において、処理決定部２２は受信された通信データがモード移行データであるか否かを通信データのコマンド（スロットＮｏ．０）から判別する。通信データがモード移行データである場合には（ステップＳ１５、Ｙｅｓ）処理はステップＳ２０に進み、通信データがモード移行データでない場合には（ステップＳ１５、Ｎｏ）処理はステップＳ４５に進む。
【００３９】
ステップＳ２０において、アドレス処理部２４はメモリ３０に記憶された設定済みアドレスを消去し、アドレス設定済みフラグをリセットする。
ステップＳ２５において、送信状態切換部２７は送信無効化信号を出力してドライバ１２の動作を無効化し、通信ライン５から受信される通信データ信号をその子機３で終端させ、後段の子機との経路を遮断する。
【００４０】
ステップＳ３０において、処理決定部２２は通信データがアドレス設定データであるか否かを通信データのコマンド（スロットＮｏ．０）から判別し、通信データがアドレス設定データでない場合には（ステップＳ３０、Ｎｏ）アドレス設定データの受信を待機する。  通信データがアドレス設定データである場合には（ステップＳ３０、Ｙｅｓ）処理はステップＳ３５に進む。
【００４１】
ステップＳ３５において、アドレス検出部２３はアドレス設定データからアドレスを検出及び抽出し、アドレス処理部２４は抽出されたアドレスをメモリ３０に書き込み、アドレス設定済みフラグをセットする。
ステップＳ４０において、送信状態切換部２７は送信有効化信号を出力してドライバ１２の動作を有効化してバイパス経路を形成させ、子機３とその後段の子機が通信ライン５によって直接接続されるようにする。その後処理はステップＳ１０に戻り、ＣＰＵ２０は次の通信データを待機する。
【００４２】
ステップＳ４５において、処理決定部２２はメモリ３０にアドレスが設定されているか否か、即ち、アドレス設定済みフラグがセットされているか否かを、アドレス処理部２４を介して又は直接に判別する。アドレスが設定済みの場合（ステップＳ４５、Ｙｅｓ）、処理はステップＳ５０に進む。アドレスが未設定、即ち、不定の場合（ステップＳ４５、Ｎｏ）、処理はステップＳ１０に戻り、ＣＰＵ２０は通信データを待機する。
【００４３】
ステップＳ５０において、処理決定部２２は受信された通信データが照明制御データであるか否かを通信データのコマンド（スロットＮｏ．０）から判別する。通信データが照明制御データである場合（ステップＳ５０、Ｙｅｓ）、処理はステップＳ５５に進む。通信データが照明制御データでない場合（ステップＳ５０、Ｎｏ）、処理はステップＳ１０に戻り、ＣＰＵ２０は次の通信データを待機する。
【００４４】
ステップＳ５５において、制御データ検出部２５は設定済みアドレスに対応する照明制御データを抽出し、照明制御出力部２６は抽出された照明制御データに従って照明器具４の動作を制御する。照明制御データの抽出は、設定済みアドレスに基づいて基準となる子機（例えば、子機３−１）からのオフセット値を求め、そのオフセット値に対応するスロットＮｏの制御データを参照することにより行われる。その後、処理はステップＳ１０に戻り、ＣＰＵ２０は次の通信データを待機する。
【００４５】
なお、上記実施例では、アドレス設定フラグの設定及びリセットによりアドレス設定の有無を区別する構成を示したが、本発明はこれに限られない。例えば、各子機３において、アドレス設定前にアドレスとして特定のデータ（例えば全てのビットが０）を書き込んでおき、アドレス抽出時に上記特定のデータが識別された場合に、抽出されたアドレスを書き込む構成としてもよい。
【００４６】
次に、図７〜図１０を参照して、照明制御システム１の動作を説明する。ここでは、照明制御システム１は３台の子機３−１〜３−３を備えるものとし、子機３−１〜３−３は全て電源がＯＮであるものとする。
【００４７】
図７に示すように、動作開始において、ドライバ１２の動作は有効状態となっており、親機２から子機３−３までの連続した信号経路が形成されているものとする。ここで、親機２からモード移行信号が通信ライン５に送出されると、モード移行信号は子機３−１〜３−３全てに到達する。これにより、子機３−１〜３−３の各々において、既に設定されているアドレスが消去され、アドレス設定済みフラグがリセットされる。その後、子機３−１〜３−３の送信動作が無効化されることにより、図８に示すように各子機とその後段の子機との経路が遮断された状態が得られる。図８に示す状態から親機２はアドレス設定信号Ｓ１、Ｓ２及びＳ３を通信ライン５に順次送出する。
【００４８】
図８に示すように、親機２に子機３−１のみが接続された状態において、親機２は、子機３−１のアドレスを格納したアドレス設定信号Ｓ１（図５参照）を通信ライン５に送出する。子機３−１において、アドレス設定信号Ｓ１が受信されると、アドレス設定信号Ｓ１から子機３−１のアドレスが抽出されてアドレス設定処理が行われる。アドレス設定処理が完了すると、子機３−１におけるアドレス設定済みフラグがセットされるとともに、ドライバの送信動作が有効化されることにより、図９に示すように子機３−１と子機３−２が接続された状態が得られる。
【００４９】
図９に示すように、親機２に子機３−１及び３−２が接続された状態において、親機２は、子機３−２のアドレスを格納したアドレス設定信号Ｓ２（図５参照）を通信ライン５に送出する。子機３−１は、アドレス設定信号Ｓ２が受信しても、既にアドレス設定済みであるので、アドレス設定信号Ｓ２を無視する（反応しない）。即ち、子機３−１におけるＣＰＵ２０の処理決定部２２は受信部２１から入力されたアドレス設定データに対して何も処理を行わない。子機３−２において、アドレス設定信号Ｓ２から子機３−２のアドレスが抽出されてアドレス設定処理及びアドレス設定済みフラグのセットが行われる。子機３−２において、アドレス設定処理が完了し、ドライバの送信動作が有効化されることにより、図１０に示すように全ての子機３−１〜３−３が接続された状態が得られる。
【００５０】
図１０に示すように、親機２に子機３−１〜３−３が接続された状態において、親機２は、子機３−３のアドレスを格納したアドレス設定信号Ｓ３（図５参照）を通信ライン５に送出する。子機３−１及び３−２は、アドレス設定信号Ｓ３が受信しても、既にアドレス設定済みであるので、アドレス設定信号Ｓ３を無視する（反応しない）。子機３−３において、アドレス設定信号Ｓ３から子機３−３のアドレスが抽出されてアドレス設定処理が行われる。これにより、子機３−１〜３−３におけるアドレス設定が完了する。
【００５１】
即ち、親機２にｎ台（２≦ｎ）の子機３が接続される場合、親機２は、親機２から見てｋ番目（１≦ｋ≦ｎ−１）の子機３−ｋに対応するアドレス設定信号Ｓｋを通信ライン５に送出した後に、後段の子機３−（ｋ＋１）に対応するアドレス設定信号Ｓ（ｋ＋１）を通信ライン５に送出するように構成される。また、上述したように、子機３−１〜３−ｎのうちの一部の電源がＯＦＦの場合には、その子機がリレー５０によってバイパスされる。従って、ｋ又はｎ番目のアドレス設定信号Ｓｋ又はＳｎが指定するアドレスがｋ又はｎ番目の子機３−ｋ又は３−ｎに設定されるとは限らないが、電源がＯＮされている子機については、予定の順序に従ってアドレスが設定される。
【００５２】
その後、図１１に示すように、親機２に全ての子機３−１〜３−３がアドレス設定済みで接続された状態で、親機２は照明制御信号を通信ライン５に送出する。親機２からの照明制御信号は実質的に同時に子機３−１〜３−３で受信され、各子機は自身のアドレスに対応する照明制御データのみを抽出し、それに応じて対応の照明器具の照明制御を行う。
【００５３】
このように、上記構成によると、子機がデイジーチェーン接続される照明制御システムにおいて、その接続数が増加した場合でも、自動アドレス設定が可能でありかつアドレス設定後の照明制御において各子機における遅延はトランシーバの伝播遅延時間のみとなり、最小限の遅延しか発生しない。従って、本発明によると、自動アドレス設定可能なデイジーチェーン接続を採用しつつも、アドレス設定後はいわゆるマルチドロップ接続並の制御速度を実現できる。また、バイパス経路の形成（即ち、送信状態の有効化及び無効化）をレシーバとドライバによって構成したので簡素な構成で子機を構成することができ、子機のサイズ及びコストの点においても有利である。
【００５４】
このように、本発明の照明制御機器及びそれを用いた照明制御システムによると、各照明制御機器へのアドレス自動設定を可能としつつも照明制御用の信号の伝搬遅延を大幅に低減することが可能となる。従って、本発明によると、操作性が良く、かつ演出精度の高い照明制御システムを構築することができる。
【００５５】
上記に本発明の好適な実施例を示したが、本発明は以下のように種々の変形が可能である。
例えば、上記実施例では送信有効／無効化手段がドライバ１２の送信イネーブル制御端子１２ｄで構成されるものを示したが、ドライバ１２のドライバ入力端子１２ｃの入力ラインを接続／遮断するスイッチ素子で構成されるようにしてもよい。例えば、図１２に示すように、ドライバ入力端子１２ｃには、レシーバ出力端子１１ｃ及びＣＰＵ２０との接続状態を切り換えるスイッチ素子１３が接続される。この場合、ＣＰＵ２０の送信状態切換部２７が送信有効化信号を出力する場合にはスイッチ素子１３がオンされ、送信無効化信号を出力する場合にはスイッチ素子１３がオフされる。この構成は、上記実施例の構成に比べて部品点数が増加するが、ドライバ１２にイネーブル端子が設定されていないような場合に有用である。
【００５６】
なお、上記実施例では、通信構成が比較的シンプルで汎用性及び堅牢性の高いＤＭＸ５１２プロトコルに準拠する通信に特化して実施例を説明したが、本発明は、ＤＭＸ５１２に限らず、類似のフレーム構成を有する他の通信プロトコルにおいても適用可能である。
【符号の説明】
【００５７】
１  照明制御システム
２  コントローラ（親機）
３  照明制御機器（子機）
４  照明器具
５  通信ライン
１０  トランシーバ
１１  レシーバ
１１ａ、１１ｂ  レシーバ入力端子
１１ｃ  レシーバ出力端子
１２  ドライバ
１２ａ、１２ｂ  ドライバ出力端子
１２ｃ  ドライバ入力端子
１２ｄ  送信イネーブル制御端子
１３  スイッチ素子
２０  中央処理ユニット（ＣＰＵ）
２１  受信部
２２  処理決定部
２３  アドレス検出部
２４  アドレス処理部
２５  制御データ抽出部
２６  照明制御出力部
２７  送信状態切換部
３０  メモリ
４０  電源ユニット
５０、５１  リレー
【図１】
2014137949.tif 000003
【図２】
2014137949.tif 000004
【図３】
2014137949.tif 000005
【図４】
2014137949.tif 000006
【図５】
2014137949.tif 000007
【図６】
2014137949.tif 000008
【図７】
2014137949.tif 000009
【図８】
2014137949.tif 000010
【図９】
2014137949.tif 000011
【図１０】
2014137949.tif 000012
【図１１】
2014137949.tif 000013
【図１２】
2014137949.tif 000014